(57)【要約】【課題】水底に生息している魚に対する釣果を向上すると共に、浅場も深場も対応できるルアーを提供する。【解決手段】スピナーベイト１は、第１の金魚形ヘッド１３を有するルアー本体１０に、第２の金魚形ヘッド２０を着脱可能にぶら下げたものである。このスピナーベイト１によれば、第２の金魚形ヘッド２０の揺れによる複雑なアクションと、ヘッドを二つにしたことによる表面積の増大とにより、浮上に対する抵抗が増大し、水底を這わせる時間が長くなる。また、このスピナーベイト１は、二つの金魚形ヘッド１３，２０を備えたことにより、小魚の群を思わせ、魚の食いつきを良くする。さらに、ヘッドを二つにしたことにより、全体として小型のルアーとなり、すれた魚に対する釣果を向上させる。また、第２の金魚形ヘッド２０を取り外せば、水深の浅いところの魚を狙うのに適するものとすることもできる。【選択図】　図１
2004049125.tif 000002
【特許請求の範囲】
【請求項１】
ルアー本体となるヘッドに連結用金具を取り付け、この連結用金具を介して、第２のヘッドをぶら下げたことを特徴とする釣り用ルアー。
【請求項２】
請求項１記載の釣り用ルアーにおいて、前記第２のヘッドにも第３のヘッドをぶら下げることのできる連結用金具を取り付けたことを特徴とする釣り用ルアー。
【請求項３】
請求項１又は請求項２記載の釣り用ルアーにおいて、前記第２のヘッドを、前記第１のヘッドに対して着脱可能な連結具を用いてぶら下げたことを特徴とする釣り用ルアー。
【請求項４】
請求項１〜請求項３のいずれか記載の釣り用ルアーにおいて、前記各ヘッドは、魚を模擬した形状とされていることを特徴とする釣り用ルアー。
【請求項５】
請求項１〜請求項４のいずれか記載の前記第２のヘッドとして使用することができるルアー部品であって、魚を模擬した本体に、連結用金具を取り付けたことを特徴とするルアー部品。
【請求項６】
請求項５記載のルアー部品をぶら下げることができる様に、魚を模擬したヘッドとフックとを備え、前記ヘッドの腹部に連結用金具を取り付けたことを特徴とするルアー本体。
【発明の詳細な説明】
【０００１】
【発明の属する技術分野】
本発明は、釣り用ルアーに関するものである。
【０００２】
【従来の技術】
従来のスピナーベイト１００として、図１７に示す様に、Ｌ字状に屈曲形成されたワイヤ１０１の一端側にスピナーブレード１０２を回転自在に取り付けると共に、他端側に魚を模擬したヘッド１０３を固定し、このヘッド１０３にフック（釣り針）１０４を固定し、ヘッド１０３である魚の尾の部分にスカート１０５を装着したものが知られている。ワイヤ１０１の適所にはライン（釣り糸）Ｔが接続され、ラインＴを引くことでスピナーブレード１０２が水中で回転し、釣りの対象魚を誘う効果が発揮される。また、ヘッド１０３が小魚に似せて作られているので、実際の魚が泳ぐように水中を遊泳する。実際の使用においては、ラインＴを引く際に、ルアーの沈み具合を調整しながら使用する。
【０００３】
【発明が解決しようとする課題】
ところで、従来のスピナーベイト１００で、水深の深いところの魚を狙うとき、浮き上がり難くする必要がある。一方、それほど深くないところを遊泳している魚を狙う場合もある。このため、従来は、深場用と浅場用とで、ヘッド１０３の大きさを変えたルアーを何種類も用意する必要があった。
【０００４】
ところが、深場用のルアーにおいては、ヘッド１０３を大きくする結果として、ワイヤ１０１を太くしたり、ブレード１０２を大きくするなど、ルアー全体が大きくなるという問題がある。最近の釣りブームにより、各地の湖等では、魚がいわゆる「すれた」状態となっており、大きなルアーは釣果に不利といわれている。このため、水底に生息する魚を釣るのは難しくなりつつある。
【０００５】
そこで、本発明は、水底に生息している魚に対する釣果をより一層向上することを第１の目的とする。
【０００６】
また、本発明は、一つで、浅場にも深場にも対応できるルアーを提供することを第２の目的とする。
【０００７】
さらに、本発明は、上記第１及び／又は第２の目的を達成することができ、釣り人の欲するルアーを用意に提供するためのルアー部品及びルアー本体を提供することを第３の目的とする。
【０００８】
【課題を解決するための手段】
上記第１の目的を達成するためになされた請求項１の発明は、釣り用ルアーにおいて、ルアー本体となるヘッドに連結用金具を取り付け、この連結用金具を介して、第２のヘッドをぶら下げたことを特徴とする。
【０００９】
この請求項１の釣り用ルアーによれば、第２のヘッドを備えていることにより、第１のヘッドを大きくすることなく重量を確保することができ、素早く、水中深く沈めることができる。そして、水中深く沈んだところから、リーリングを開始すると、第２のヘッドが、第１のヘッドとは無関係な動きをすることができる。特に、ゆっくりとリーリングするとき、第２のヘッドの揺れが大きくなり、複雑なアクションが生じる。この複雑なアクションが浮上に対する抵抗を増大し、水底を這わせる時間を長くとるのに貢献する。また、同じ重量のヘッドを一つだけ付けた従来品と比べると、ヘッドを二つに分けたことで、ヘッド全体の表面積が増大し、摩擦抵抗が従来品より大きい。これによっても、より長く水底を這わせる様にしてリーリングすることを可能ならしめている。従って、リールを速く巻いたときにも、従来品よりも水底を這う時間が長くなる。この結果、水底に生息している魚種に対して優れた釣果を発揮することができる。
【００１０】
また、複数のヘッドを備えたことにより、水中の魚に対して、小魚の群を思わせる。この群の効果もまた、魚の食いつきを良くする。
【００１１】
さらに、ヘッドを複数にしたことにより、第１のヘッドを小さくすることができ、全体として小型のルアーになる。この小型化により、いわゆる「すれた魚」に対する釣果を向上する。
【００１２】
また、上記第１の目的を達成するためになされた請求項２の発明は、請求項１記載の釣り用ルアーにおいて、前記第２のヘッドにも第３のヘッドをぶら下げることのできる連結用金具を取り付けたことを特徴とする。
【００１３】
この請求項２の発明によれば、３連以上のヘッドを備えることができ、より一層複雑なアクションを可能にし、より一層の小型化を可能にする。
【００１４】
また、上記第２の目的をも達成するためになされた請求項３の発明は、請求項１又は請求項２記載の釣り用ルアーにおいて、前記第２のヘッドを、前記第１のヘッドに対して着脱可能な連結具を用いてぶら下げたことを特徴とする。
【００１５】
この請求項３の釣り用ルアーによれば、必要に応じて第２のヘッドを取り付けたり外すことができる。従って、深場を狙うときは第２のヘッドを取り付けて使用し、上述した様な作用効果によって深場での釣果向上を可能にする。逆に、浅いところを狙うときは第２のヘッドを取り外して使用することにより、ルアー重量を軽くし、浮上を速くし、水面近くを泳がせる時間を長くすることができる。よって、この請求項３の釣り用ルアーによれば、一つのルアーで深場も浅場も狙うことができる。
【００１６】
なお、請求項４に記載した様に、請求項１〜請求項３のいずれか記載の釣り用ルアーにおいて、前記各ヘッドを、魚を模擬した形状とすれば、特に、小魚の群の様な印象を対象魚に強くアピールすることができる。ゆっくり引いたときは、より魚らしい形態であることが、対象魚に対する強いアピールとなる。
【００１７】
また、上記第３の目的を達成するためになされた請求項５の発明は、請求項１〜請求項４のいずれか記載の前記第２のヘッドとして使用することができるルアー部品であって、魚を模擬した本体に、連結用金具を取り付けたことを特徴とする。
【００１８】
同じく上記第３の目的を達成するためになされた請求項６の発明は、請求項５記載のルアー部品をぶら下げることができる様に、魚を模擬したヘッドとフックとを備え、前記ヘッドの腹部に連結用金具を取り付けたことを特徴とするルアー本体である。
【００１９】
これら請求項５のルアー部品と請求項６のルアー本体とを用いて、ルアー部品側に取り付けられている連結用金具とルアー本体側に取り付けられている連結用金具とをスナップリングの様な着脱自在の連結具を使用すれば、請求項３の釣り用ルアーを構成することができる。また、これらを、特に、ルアー部品を何種類か用意してセットとして持参すれば、釣り場の状況、天候等に応じてルアー本体とルアー部品との組合せを選ぶことにより、常に、最適なルアーを用いて釣りを楽しむことができる。
【００２０】
【発明の実施の形態】
本発明の実施の形態としての釣り用ルアーについて図面を参照しながら説明する。図１に、第１の実施の形態としてのスピナーベイト１を示す。図２にその部品構成を示す。このスピナーベイト１は、ラインを結び付けるためのワイヤ１１とフック１２との間を第１の金魚形ヘッド１３で連結したルアー本体１０と、このルアー本体１０にぶら下げられる第２の金魚形ヘッド２０とから構成されている。ワイヤ１１は、Ｌ字状に屈曲形成されており、縦軸１１ａの先端部と中間部とにスピナーブレード１４，１５が取り付けられている。先端部のスピナーブレード１４は、両端にスプリットリングの付いているボールベアリングスイベル１４ａで取り付けることにより、水平方向にも垂直方向にも回転できると共に、自由な揺れ運動を行うこともできる様になっている。中間部のスピナーブレード１５は、Ｕ字状の金具１５ａにより、ワイヤ１１の縦軸１１ａの周りを水平方向に回転可能で、垂直方向には揺れ運動を行うことができる様になっている。
【００２１】
第１の金魚形ヘッド１３の腹の部分には、下方に伸びる連結用金具１６が固定されている。この連結用金具１６は、第２の金魚形ヘッド２０をぶら下がった状態に連結するためのものである。ぶら下げられる方の第２の金魚形ヘッド２０の口の部分には、連結用金具２１が固定されている。そして、第１の金魚形ヘッド１３の腹部の連結用金具１６と、第２の金魚形ヘッド２０の口の部分の連結用金具２１とを、スナップリング１７で連結する。
【００２２】
また、第１の金魚形ヘッド１３の尾の部分には、スカート１８を取り付ける。このスカート１８は、取り外し可能である。従って、狙う魚種やその日の天候等に応じて、色、長さなどを変えたスカートに取り換えて使用することができる。
【００２３】
このスピナーベイト１によれば、第２の金魚形ヘッド２０を取り付けることにより、第１の金魚形ヘッド１３を大きくすることなく重量を確保することができ、素早く、水中深く沈めることができる。そして、水中深く沈んだところから、リーリングを開始すると、第２の金魚形ヘッド２０が、第１の金魚形ヘッド１３とは無関係な動きをすることができる。特に、ゆっくりとリーリングするとき、第２の金魚形ヘッド２０の揺れが大きくなって、複雑なアクションが生じる。この複雑なアクションが浮上に対する抵抗を増大し、水底を這わせる時間を長くとるのに貢献する。また、同じ重量のヘッドを一つだけ付けた従来品と比べると、ヘッドを二つに分けたことで、ヘッド全体の表面積が増大し、摩擦抵抗が従来品より大きい。これによっても、より長く水底を這わせる様にしてリーリングすることを可能ならしめている。従って、リールを速く巻いたときにも、従来品よりも水底を這う時間が長くなる。この結果、水底にいることの多い魚種に対して優れた釣果を発揮することができる。
【００２４】
また、このスピナーベイト１は、二つの金魚形ヘッド１３，２０を備えたことにより、水中の魚に対して、小魚の群を思わせる。この群の効果もまた、魚の食いつきを良くする。
【００２５】
さらに、ヘッドを二つにしたことにより、第１の金魚形ヘッド１３が小さく、ワイヤ１１を太くしたり、スピナーブレード１４，１５を大きくしなくてよい。この結果、全体として小型のルアーになる。この小型化により、いわゆる「すれた魚」に対する釣果を向上する。すれた魚は、ルアーが大きいと、これを見分けてしまい、なかなか食いついてくれない。ところが、本実施の形態のスピナーベイト１は、小型であるのに水底を長く這わせることができるので、特に、水底にいるすれた魚に対する釣果の向上はきわめて大きいといえる。なお、小型化のために第２の金魚形ヘッド２０が取り付けられることになるが、水中では、スカート１８が広がってくれるので、この第２の金魚形ヘッド２０は、スカート１８に隠れて見えにくくなる。よって、すれた魚にルアーと気付かせ難い。
【００２６】
なお、このスピナーベイト１は、第２の金魚形ヘッド２０をスナップリング１７で着脱自在に取り付けたものなので、水深の浅いところの魚を狙うときは、第２の金魚形ヘッド２０を外して、ルアー本体１０だけにして使うことができる。第２の金魚形ヘッド２０を取り外すことによって、ルアー重量が軽くなり、浮上を速くし、水面近くを泳がせる時間を長くすることができる。よって、このスピナーベイト１は、狙った魚に応じた釣り方が可能で、従来の様に、深場用と浅場用とを別々に用意する必要がない。
【００２７】
次に、様々なタイプのスピナーベイトを釣り人の好みによって簡単に使い分けることのできるスピナーベイトキットとしての第２の実施の形態を説明する。このスピナーベイトキットとしての第２の実施の形態は、第１の実施の形態の図２で示したルアー本体１０と、図３に示した交換用ヘッド３１〜３６と、スナップリング１７とから構成されている。交換用ヘッド３１は、第１の実施の形態の第２の金魚形ヘッド１３と同じものであり、口の部分に連結用金具３１ａを備えている。交換用ヘッド３２は、口の部分に連結用金具３２ａを備え、尾３２ｂが自由に動くタイプの物である。交換用ヘッド３３は、口の部分に連結用金具３３ａを備え、尾の部分に小さなブレード３３ｂを備えたものである。交換用ヘッド３４は、背中に連結用金具３４ａを備えたものである。交換用ヘッド３５は、口と腹に連結用金具３５ａ，３５ｂを備えたものである。交換用ヘッド３６は、背中と腹に連結用金具３６ａ，３６ｂを備えたものである。
【００２８】
これらの部品を使用することにより、釣り人の好みにより、第１の実施の形態と同じタイプのスピナーベイト１はもちろん、ルアー本体１０だけとして使用したり、図４〜図８に示す様な種々のタイプのスピナーベイト２〜６として使用することができる。図７，図８のスピナーベイト５，６は、３連とすることにより、さらに複雑なアクションを示すことができ、群れた小魚が泳ぐ様子をよりリアルに再現することができる。また、３連とすることで、より長く水底を這わせるようなリーリングが可能になる。
【００２９】
以上、本発明の実施の形態について詳細に説明してきたが、本発明はこれに限られるものではない。
【００３０】
例えば、スナップリング１７を使わずに、連結用金具同士を直接係合させて、図９に示す様なスピナーベイト７にすることもできる。また、図１０に示す様に、３連用の交換用ヘッド３５の下に３連目をぶら下げることなく２連としたスピナーベイト８とすることもできる。
【００３１】
さらに、金魚に限らず、図１１に示す様に、金魚に比べるとやや大型のヤマメ形ヘッド４１，４２をスイベル４３とスナップリング１７，１７とで連結したスピナーベイト４０としてもよい。なお、第２のヤマメ形ヘッド４２の口の部分にはリップ４２ａを備えるのがよい。ボールベアリングスイベル４３を中間に入れることで、下側に位置する第２のヘッド４２の動きがスムーズになるという効果が発揮される。この変形例では、第２のヘッド４２の腹にイカリ形のフック４２ｂを取り付けてあるが、これがないものでもよい。同様に、図１２に示す様に、第２のヘッド４２にもフック４２ｃとスカート４２ｄとを取り付けたスピナーベイト４５としてもよい。
【００３２】
また、図１３は、変形例としてオイカワ形ヘッド５１，５２を備えたスピナーベイト５０を示す。図では、いずれもメスのオイカワとしたが、オスとメスとをペアにすると、産卵中のオイカワを魚に連想させる効果が期待できる。
【００３３】
図１４は、鮎タイプヘッド６１，６２を備えたスピナーベイト６０を示す。同じく、図１５は、鮎の２連形であるが、スピナーベイトではなく、２連型のミノー６５である。ミノー６５は、ブラックバスやサケ・マス科の魚に限らず、鮎釣りにも効果が期待できる。
【００３４】
図１６は、ヤマメ形ヘッド７１の腹にイクラ形ヘッド７２がぶら下がったタイプのスピナーベイト７０を示す。この様にヘッドは魚を模擬したものだけに限らない。小さめのサケ形ヘッドにヨークサック（孵化直後の稚魚の腹部に残っている卵黄）を模擬した第２のヘッドをぶら下げてゆっくり引いてやると、対象魚は、孵化したばかりのサケの稚魚が川底付近をゆっくりと泳いでいる様に感じるであろう。
【００３５】
図１１〜図１６に示した様なルアーは、アマゴ、ヤマメ、イワナ、ニジマス、ブラウントラウト等のサケ・マス科の魚を釣るのに適している。ここで、同じサケ・マス科の魚でも、アマゴ、ヤマメ、ニジマスは上層部にいて、イワナやブラウントラウトは水底近くにいることから、狙う魚種に応じて第２のヘッドを付けたり外したりするとよい。
【００３６】
この他、種々の形態が考えられる。さらに、異なる種類の魚を模擬したヘッドを２連にぶら下げる様にしてもよい。加えて、２連、３連に限らず、４連以上としても構わない。なお、根掛かりの問題や操作性の点からは、３連程度以内が好適である。
【００３７】
また、魚を模擬したものは群を連想させるのに好適であるが、魚を模擬したものではないヘッド同士としてもよい。さらに、スピナーベイト、ミノーに限らず、バズベイトとしてもよいし、海の魚を模擬したヘッドにしてシーバス用としても構わないことはいうまでもない。なお、バズベイトの場合、水底の魚を狙うルアーではないが、水面近くにおける浮き上がり過ぎを抑えた複雑なアクション、小型化による効果等により、従来のバズベイトに比べて魚を引きつける効果が高くなる。
【００３８】
【発明の効果】
以上詳細に説明した様に、本発明によれば、水底に生息している魚に対する釣果を向上することができる。また、第２のヘッドを着脱自在とすれば、浅場も深場も対応できるルアーとなる。
【図面の簡単な説明】
【図１】第１の実施の形態としてのスピナーベイトの正面図である。
【図２】第１の実施の形態としてのスピナーベイトの部品の正面図である。
【図３】第２の実施の形態としてのキットタイプのスピナーベイトに使用する種々の第２のヘッドの正面図である。
【図４】第２の実施の形態における組み立て状態のスピナーベイトの正面図である。
【図５】第２の実施の形態における他のタイプに組み立てたスピナーベイトの正面図である。
【図６】第２の実施の形態におけるさらに他のタイプに組み立てたスピナーベイトの正面図である。
【図７】第２の実施の形態において三連タイプに組み立てたスピナーベイトの正面図である。
【図８】第２の実施の形態において他の三連タイプに組み立てたスピナーベイトの正面図である。
【図９】第１の変形例としてのスピナーベイトの正面図である。
【図１０】第２の変形例としてのスピナーベイトの正面図である。
【図１１】第３の変形例としてのスピナーベイトの正面図である。
【図１２】第４の変形例としてのスピナーベイトの正面図である。
【図１３】第５の変形例としてのスピナーベイトの正面図である。
【図１４】第６の変形例としてのスピナーベイトの正面図である。
【図１５】第７の変形例としてのミノーの正面図である。
【図１６】第８の変形例としてのスピナーベイトの正面図である。
【図１７】従来のスピナーベイトの正面図である。
【符号の説明】
１〜６，４０，４５，５０，６０，７０・・・スピナーベイト、１０・・・ルアー本体、１１・・・ワイヤ、１２・・・フック、１３・・・第１の金魚形ヘッド、２０・・・第２の金魚形ヘッド、１４，１５・・・スピナーブレード、１６，２１，３１ａ，３２ａ，３３ａ，３４ａ，３５ａ，３５ｂ，３６ａ，３６ｂ，４１ａ，４２ａ・・・連結用金具、１７・・・スナップリング、１８・・・スカート、３１〜３６・・・交換用ヘッド、３２ｂ・・・尾、４１ａ，４２ａ・・・リップ、４１，４２，７１・・・ヤマメ形ヘッド、４３・・・スイベル、４２ｂ・・・イカリ形のフック、４２ｃ・・・フック、４２ｄ・・・スカート、５１，５２・・・オイカワ形ヘッド、６１，６２・・・鮎タイプヘッド、６５・・・ミノー、７２・・・イクラ形ヘッド。
【図１】
2004049125.tif 000003
【図２】
2004049125.tif 000004
【図３】
2004049125.tif 000005
【図４】
2004049125.tif 000006
【図５】
2004049125.tif 000007
【図６】
2004049125.tif 000008
【図７】
2004049125.tif 000009
【図８】
2004049125.tif 000010
【図９】
2004049125.tif 000011
【図１０】
2004049125.tif 000012
【図１１】
2004049125.tif 000013
【図１２】
2004049125.tif 000014
【図１３】
2004049125.tif 000015
【図１４】
2004049125.tif 000016
【図１５】
2004049125.tif 000017
【図１６】
2004049125.tif 000018
【図１７】
2004049125.tif 000019